(57)【特許請求の範囲】
【請求項１】
座部と、底部と、前記座部と前記底部とで囲まれる内部空間に設けられる支持部と、を備えた便座であって、
前記座部は、平面視環状またはＵ字状をして、その周方向に垂直な断面において上方に凸となり、上面が座面となるものであり、
前記底部は、平面視環状またはＵ字状をして、内周端部の上面に前記座部の内周端部の下端面が溶着跡を介して一体に連続し、外周端部の上面に前記座部の外周端部の下端面が溶着跡を介して一体に連続するものであり、
前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となり、内周端部の下端面が前記座部の前記内周端部の前記下端面の平面視における外周側に隣接して前記底部の前記内周端部の前記上面に溶着跡を介して一体に連続し、外周端部の下端面が前記座部の前記外周端部の前記下端面の平面視における内周側に隣接して前記底部の前記外周端部の前記上面に溶着跡を介して一体に連続するものであり、
前記支持面と前記裏面との間に前記所定の間隔をあけるスペーサとして、前記支持部の前記内周端部から前記内周側に一体に設けられて前記支持面よりも前記内周側に突出する内突出部と、前記支持部の前記外周端部から前記外周側に一体に設けられて前記支持面よりも前記外周側に突出する外突出部と、を有し、
前記支持部の前記内突出部より上側の部分に、前記内突出部の突出端面の上端部から前記支持面にかけて前記外周側に行く程上側に位置するように傾斜する支持部側内周ガイド面を有し、
前記支持部側内周ガイド面が、前記支持部の周方向の複数個所に部分的に設けられる複数個のリブの表面で構成される
ことを特徴とする便座。
【請求項２】
座部と、底部と、前記座部と前記底部とで囲まれる内部空間に設けられる支持部と、を備えた便座であって、
前記座部は、平面視環状またはＵ字状をして、その周方向に垂直な断面において上方に凸となり、上面が座面となるものであり、
前記底部は、平面視環状またはＵ字状をして、内周端部の上面に前記座部の内周端部の下端面が溶着跡を介して一体に連続し、外周端部の上面に前記座部の外周端部の下端面が溶着跡を介して一体に連続するものであり、
前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となり、内周端部の下端面が前記座部の前記内周端部の前記下端面の平面視における外周側に隣接して前記底部の前記内周端部の前記上面に溶着跡を介して一体に連続し、外周端部の下端面が前記座部の前記外周端部の前記下端面の平面視における内周側に隣接して前記底部の前記外周端部の前記上面に溶着跡を介して一体に連続するものであり、
前記支持面と前記裏面との間に前記所定の間隔をあけるスペーサとして、前記支持部の前記内周端部から前記内周側に一体に設けられて前記支持面よりも前記内周側に突出する内突出部と、前記支持部の前記外周端部から前記外周側に一体に設けられて前記支持面よりも前記外周側に突出する外突出部と、を有し、
前記支持部の前記外突出部より上側の部分に、前記外突出部の突出端面の上端部から前記支持面にかけて前記内周側に行く程上側に位置するように傾斜する支持部側外周ガイド面を有し、
前記支持部側外周ガイド面が、前記支持部の周方向の複数個所に部分的に設けられる複数個のリブの表面で構成される
ことを特徴とする便座。
【請求項３】
座部と、底部と、前記座部と前記底部とで囲まれる内部空間に設けられる支持部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となるものであり、
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものであり、
前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となり、内周端部の下端面が前記底部内周溶着箇所に溶着される支持部内周溶着箇所となり、外周端部の下端面が前記底部外周溶着箇所に溶着される支持部外周溶着箇所となるものであり、
前記支持面と前記裏面との間に前記所定の間隔をあけるスペーサとして、前記支持部の前記内周端部から平面視における内周側に一体に設けられて前記支持面よりも前記内周側に突出する内突出部と、前記支持部の前記外周端部から平面視における外周側に一体に設けられて前記支持面よりも前記外周側に突出する外突出部と、を有し、
前記支持部の前記内突出部より上側の部分に、前記内突出部の突出端面の上端部から前記支持面にかけて前記外周側に行く程上側に位置するように傾斜する支持部側内周ガイド面を有するか、あるいは、前記座部の前記内周端部の前記外周側の端部に、前記座部の前記内周端部の前記下端面の前記外周側の端部から前記裏面の前記内周側の端部にかけて前記外周側に行く程上側に位置するように傾斜する座部側内周ガイド面を有するものであり、
前記座部は、振動溶着の加圧に対する耐変形性を付与する座面支持具により前記座面が支持され、
前記支持部は、前記支持面が前記裏面と対向し、前記支持部内周溶着箇所が前記座部内周溶着箇所の前記外周側に隣接し、前記支持部外周溶着箇所が前記座部外周溶着箇所の前記内周側に隣接するように、前記座部の前記内周端部の前記外周側の端部を前記支持部側内周ガイド面に沿わせながら、あるいは、前記内突出部の上端部を前記座部側内周ガイド面に沿わせながら、前記座部内に挿入され、
前記支持部内周溶着箇所および前記座部内周溶着箇所が前記底部内周溶着箇所により加圧されるとともに前記支持部の前記内周端部と前記座部の前記内周端部とが接触し、前記支持部外周溶着箇所および前記座部外周溶着箇所が前記底部外周溶着箇所により加圧されるとともに前記支持部の前記外周端部と前記座部の前記外周端部とが接触した状態で振動溶着が行われることにより、前記支持部内周溶着箇所および前記座部内周溶着箇所が前記底部内周溶着箇所に固定されるとともに、前記支持部外周溶着箇所および前記座部外周溶着箇所が前記底部外周溶着箇所に固定されることを特徴とする便座の製造方法。
【請求項４】
座部と、底部と、前記座部と前記底部とで囲まれる内部空間に設けられる支持部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となるものであり、
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものであり、
前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となり、内周端部の下端面が前記底部内周溶着箇所に溶着される支持部内周溶着箇所となり、外周端部の下端面が前記底部外周溶着箇所に溶着される支持部外周溶着箇所となるものであり、
前記支持面と前記裏面との間に前記所定の間隔をあけるスペーサとして、前記支持部の前記内周端部から平面視における内周側に一体に設けられて前記支持面よりも前記内周側に突出する内突出部と、前記支持部の前記外周端部から平面視における外周側に一体に設けられて前記支持面よりも前記外周側に突出する外突出部と、を有し、
前記支持部の前記外突出部より上側の部分に、前記外突出部の突出端面の上端部から前記支持面にかけて前記内周側に行く程上側に位置するように傾斜する支持部側外周ガイド面を有するか、あるいは、前記座部の前記外周端部の前記内周側の端部に、前記座部の前記外周端部の前記下端面の前記内周側の端部から前記裏面の前記外周側の端部にかけて前記内周側に行く程上側に位置するように傾斜する座部側外周ガイド面を有するものであり、
前記座部は、振動溶着の加圧に対する耐変形性を付与する座面支持具により前記座面が支持され、
前記支持部は、前記支持面が前記裏面と対向し、前記支持部内周溶着箇所が前記座部内周溶着箇所の前記外周側に隣接し、前記支持部外周溶着箇所が前記座部外周溶着箇所の前記内周側に隣接するように、前記座部の前記外周端部の前記内周側の端部を前記支持部側外周ガイド面に沿わせながら、あるいは、前記外突出部の上端部を前記座部側外周ガイド面に沿わせながら、前記座部内に挿入され、
前記支持部内周溶着箇所および前記座部内周溶着箇所が前記底部内周溶着箇所により加圧されるとともに前記支持部の前記内周端部と前記座部の前記内周端部とが接触し、前記支持部外周溶着箇所および前記座部外周溶着箇所が前記底部外周溶着箇所により加圧されるとともに前記支持部の前記外周端部と前記座部の前記外周端部とが接触した状態で振動溶着が行われることにより、前記支持部内周溶着箇所および前記座部内周溶着箇所が前記底部内周溶着箇所に固定されるとともに、前記支持部外周溶着箇所および前記座部外周溶着箇所が前記底部外周溶着箇所に固定されることを特徴とする便座の製造方法。
【請求項５】
前記底部は、振動溶着が行われる前においては、内周端部から前記内周側に突出する内突出部と、外周端部から前記外周側に突出する外突出部と、を有するものであり、
前記座部は、振動溶着が行われる前においては、内周端部から前記内周側に突出する内突出部と、外周端部から前記外周側に突出する外突出部と、を有するものであり、
振動溶着が行われた後、前記底部の前記内突出部および前記外突出部、前記座部の前記内突出部および前記外突出部が切除されることを特徴とする請求項３または請求項４に記載の便座の製造方法。
【発明の詳細な説明】
【技術分野】
【０００１】
本発明は、便座および便座の製造方法に関するものである。
【背景技術】
【０００２】
従来から、座部と底部と、座部と底部とで囲まれる内部空間に設けられる支持部とが振動溶着により固定される便座が知られている。
【０００３】
座部は、平面視環状またはＵ字状をして、その周方向に垂直な断面において上方に凸となり、上面が座面となるものである。底部は、平面視環状またはＵ字状をして、内周端部の上面に座部の内周端部の下端面が溶着により固定され、外周端部の上面に座部の外周端部の下端面が溶着により固定される。
【０００４】
支持部は、平面視環状またはＵ字状をして、その周方向に垂直な断面において上方に凸となり、座部側を向く面が座部の内周端部と外周端部との間の裏面から所定の間隔をあけて位置する支持面となる。
【０００５】
支持部は、内周端部の下端面が座部の内周端部の下端面の外周側に隣接して底部の内周端部の上面に溶着により固定され、外周端部の下端面が座部の外周端部の下端面の内周側に隣接して底部の外周端部の上面に溶着により固定される。
【０００６】
支持部は、支持面と裏面との間に所定の間隔をあけるスペーサとして、内突出部と、外突出部と、を有する。内突出部は、支持部の内周端部から内周側に一体に設けられて支持面よりも内周側に突出する。外突出部は、支持部の外周端部から外周側に一体に設けられて支持面よりも外周側に突出する。
【先行技術文献】
【特許文献】
【０００７】
【特許文献１】特開平１０−１６５３３１号公報
【発明の概要】
【発明が解決しようとする課題】
【０００８】
上記従来の便座にあっては、振動溶着前に、支持部が座部内に挿入される際に、支持部の内突出部が座部の内周端部に引っ掛かったり、支持部の外突出部が座部の外周端部に引っ掛かって、支持部の座部内への挿入が阻害されやすいものであった。
【０００９】
本発明は上記従来の問題点に鑑みて発明したものであって、その目的とするところは、支持部の座部内への挿入が阻害されにくい便座および便座の製造方法を提供することにある。
【課題を解決するための手段】
【００１０】
上記課題を解決するために、本発明に係る一態様の便座は、以下の通りである。
【００１１】
便座は、座部と、底部と、前記座部と前記底部とで囲まれる内部空間に設けられる支持部と、を備える。前記座部は、平面視環状またはＵ字状をして、その周方向に垂直な断面において上方に凸となり、上面が座面となるものである。前記底部は、平面視環状またはＵ字状をして、内周端部の上面に前記座部の内周端部の下端面が溶着跡を介して一体に連続し、外周端部の上面に前記座部の外周端部の下端面が溶着跡を介して一体に連続するものである。前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となる。前記支持部は、内周端部の下端面が前記座部の前記内周端部の前記下端面の平面視における外周側に隣接して前記底部の前記内周端部の前記上面に溶着跡を介して一体に連続する。前記支持部は、外周端部の下端面が前記座部の前記外周端部の前記下端面の平面視における内周側に隣接して前記底部の前記外周端部の前記上面に溶着跡を介して一体に連続するものである。前記支持部は、前記支持面と前記裏面との間に前記所定の間隔をあけるスペーサとして、内突出部と、外突出部と、を有する。前記内突出部は、前記支持部の前記内周端部から前記内周側に一体に設けられて前記支持面よりも前記内周側に突出する。前記外突出部は、前記支持部の前記外周端部から前記外周側に一体に設けられて前記支持面よりも前記外周側に突出する。前記便座は、支持部側内周ガイド面を有するか、あるいは、座部側内周ガイド面を有する。前記支持部側内周ガイド面は、前記支持部の前記内突出部より上側の部分に、前記内突出部の突出端面の上端部から前記支持面にかけて前記外周側に行く程上側に位置するように傾斜する。前記座部側内周ガイド面は、前記座部の前記内周端部の前記外周側の端部に、前記座部の前記内周端部の前記下端面の前記外周側の端部から前記裏面の前記内周側の端部にかけて前記外周側に行く程上側に位置するように傾斜する。
【００１２】
また、上記課題を解決するために、本発明に係る他の態様の便座は、以下の通りである。
【００１３】
便座は、座部と、底部と、前記座部と前記底部とで囲まれる内部空間に設けられる支持部と、を備える。前記座部は、平面視環状またはＵ字状をして、その周方向に垂直な断面において上方に凸となり、上面が座面となるものである。前記底部は、平面視環状またはＵ字状をして、内周端部の上面に前記座部の内周端部の下端面が溶着跡を介して一体に連続し、外周端部の上面に前記座部の外周端部の下端面が溶着跡を介して一体に連続するものである。前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となる。前記支持部は、内周端部の下端面が前記座部の前記内周端部の前記下端面の平面視における外周側に隣接して前記底部の前記内周端部の前記上面に溶着跡を介して一体に連続する。前記支持部は、外周端部の下端面が前記座部の前記外周端部の前記下端面の平面視における内周側に隣接して前記底部の前記外周端部の前記上面に溶着跡を介して一体に連続するものである。前記支持部は、前記支持面と前記裏面との間に前記所定の間隔をあけるスペーサとして、内突出部と、外突出部と、を有する。前記内突出部は、前記支持部の前記内周端部から前記内周側に一体に設けられて前記支持面よりも前記内周側に突出する。前記外突出部は、前記支持部の前記外周端部から前記外周側に一体に設けられて前記支持面よりも前記外周側に突出する。前記便座は、支持部側外周ガイド面を有するか、あるいは、座部側外周ガイド面を有する。前記支持部側外周ガイド面は、前記支持部の前記外突出部より上側の部分に、前記外突出部の突出端面の上端部から前記支持面にかけて前記内周側に行く程上側に位置するように傾斜する。前記座部側外周ガイド面は、前記座部の前記外周端部の前記内周側の端部に、前記座部の前記外周端部の前記下端面の前記内周側の端部から前記裏面の前記外周側の端部にかけて前記内周側に行く程上側に位置するように傾斜する。
【００１４】
また、上記課題を解決するために、本発明に係る一態様の便座の製造方法は、以下の通りである。
【００１５】
便座は、座部と、底部と、前記座部と前記底部とで囲まれる内部空間に設けられる支持部と、を備えたものである。前記座部は、平面視環状またはＵ字状をして、その周方向に垂直な断面において上方に凸となり、上面が座面となる。前記座部は、内周端部の下端面が前記底部に溶着される座部内周溶着箇所となり、外周端部の下端面が前記底部に溶着される座部外周溶着箇所となるものである。前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものである。前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となる。前記支持部は、内周端部の下端面が前記底部内周溶着箇所に溶着される支持部内周溶着箇所となり、外周端部の下端面が前記底部外周溶着箇所に溶着される支持部外周溶着箇所となるものである。前記支持部は、前記支持面と前記裏面との間に前記所定の間隔をあけるスペーサとして、内突出部と、外突出部と、を有する。前記内突出部は、前記支持部の前記内周端部から平面視における内周側に一体に設けられて前記支持面よりも前記内周側に突出する。前記外突出部は、前記支持部の前記外周端部から平面視における外周側に一体に設けられて前記支持面よりも前記外周側に突出する。前記便座は、支持部側内周ガイド面を有するか、あるいは、座部側内周ガイド面を有する。前記支持部側内周ガイド面は、前記支持部の前記内突出部より上側の部分に、前記内突出部の突出端面の上端部から前記支持面にかけて前記外周側に行く程上側に位置するように傾斜する。前記座部側内周ガイド面は、前記座部の前記内周端部の前記外周側の端部に、前記座部の前記内周端部の前記下端面の前記外周側の端部から前記裏面の前記内周側の端部にかけて前記外周側に行く程上側に位置するように傾斜するものである。前記座部は、振動溶着の加圧に対する耐変形性を付与する座面支持具により前記座面が支持される。前記支持部は、前記支持面が前記裏面と対向し、前記支持部内周溶着箇所が前記座部内周溶着箇所の前記外周側に隣接し、前記支持部外周溶着箇所が前記座部外周溶着箇所の前記内周側に隣接するように、前記座部の前記内周端部の前記外周側の端部を前記支持部側内周ガイド面に沿わせながら、あるいは、前記内突出部の上端部を前記座部側内周ガイド面に沿わせながら、前記座部内に挿入される。前記支持部内周溶着箇所および前記座部内周溶着箇所が前記底部内周溶着箇所により加圧されるとともに前記支持部の前記内周端部と前記座部の前記内周端部とが接触し、前記支持部外周溶着箇所および前記座部外周溶着箇所が前記底部外周溶着箇所により加圧されるとともに前記支持部の前記外周端部と前記座部の前記外周端部とが接触した状態で振動溶着が行われる。このように振動溶着が行われることにより、前記支持部内周溶着箇所および前記座部内周溶着箇所が前記底部内周溶着箇所に固定されるとともに、前記支持部外周溶着箇所および前記座部外周溶着箇所が前記底部外周溶着箇所に固定される。
【００１６】
また、上記課題を解決するために、本発明に係る他の態様の便座の製造方法は、以下の通りである。
【００１７】
便座は、座部と、底部と、前記座部と前記底部とで囲まれる内部空間に設けられる支持部と、を備えたものである。前記座部は、平面視環状またはＵ字状をして、その周方向に垂直な断面において上方に凸となり、上面が座面となる。前記座部は、内周端部の下端面が前記底部に溶着される座部内周溶着箇所となり、外周端部の下端面が前記底部に溶着される座部外周溶着箇所となるものである。前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものである。前記支持部は、平面視環状またはＵ字状をして、その周方向に垂直な断面において上方に凸となり、前記座部側を向く面が前記座部の前記内周端部と前記外周端部との間の裏面から所定の間隔をあけて位置する支持面となる。前記支持部は、内周端部の下端面が前記底部内周溶着箇所に溶着される支持部内周溶着箇所となり、外周端部の下端面が前記底部外周溶着箇所に溶着される支持部外周溶着箇所となるものである。前記支持部は、前記支持面と前記裏面との間に前記所定の間隔をあけるスペーサとして、内突出部と、外突出部と、を有する。前記内突出部は、前記支持部の前記内周端部から平面視における内周側に一体に設けられて前記支持面よりも前記内周側に突出する。前記外突出部は、前記支持部の前記外周端部から平面視における外周側に一体に設けられて前記支持面よりも前記外周側に突出する。前記便座は、支持部側外周ガイド面を有するか、あるいは、座部側外周ガイド面を有するものである。前記支持部側外周ガイド面は、前記支持部の前記外突出部より上側の部分に、前記外突出部の突出端面の上端部から前記支持面にかけて前記内周側に行く程上側に位置するように傾斜する。前記座部側外周ガイド面は、前記座部の前記外周端部の前記内周側の端部に、前記座部の前記外周端部の前記下端面の前記内周側の端部から前記裏面の前記外周側の端部にかけて前記内周側に行く程上側に位置するように傾斜する。前記座部は、振動溶着の加圧に対する耐変形性を付与する座面支持具により前記座面が支持される。前記支持部は、前記支持面が前記裏面と対向し、前記支持部外周溶着箇所が前記座部内周溶着箇所の前記外周側に隣接し、前記支持部外周溶着箇所が前記座部外周溶着箇所の前記内周側に隣接するように、前記座部の前記外周端部の前記内周側の端部を前記支持部側外周ガイド面に沿わせながら、あるいは、前記外突出部の上端部を前記座部側外周ガイド面に沿わせながら、前記座部内に挿入される。前記支持部内周溶着箇所および前記座部内周溶着箇所が前記底部内周溶着箇所により加圧されるとともに前記支持部の前記内周端部と前記座部の前記内周端部とが接触し、前記支持部外周溶着箇所および前記座部外周溶着箇所が前記底部外周溶着箇所により加圧されるとともに前記支持部の前記外周端部と前記座部の前記外周端部とが接触した状態で振動溶着が行われる。このように振動溶着が行われることにより、前記支持部内周溶着箇所および前記座部内周溶着箇所が前記底部内周溶着箇所に固定されるとともに、前記支持部外周溶着箇所および前記座部外周溶着箇所が前記底部外周溶着箇所に固定される。
【発明の効果】
【００１８】
本発明に係る一態様の便座にあっては、支持部が座部内に挿入される際に、座部の内周端部の外周側の端部が支持部側内周ガイド面にガイドされるか、あるいは、支持部の内突出部の上端部が座部側内周ガイド面にガイドされるため、支持部の内突出部が座部の内周端部に引っ掛かって、支持部の座部内への挿入が阻害されることが抑制される。
【００１９】
本発明に係る他の態様の便座にあっては、支持部が座部内に挿入される際に、座部の外周端部の内周側の端部が支持部側外周ガイド面にガイドされるか、あるいは、支持部の外突出部の上端部が座部側外周ガイド面にガイドされるため、支持部の外突出部が座部の外周端部に引っ掛かって、支持部の座部内への挿入が阻害されることが抑制される。
【００２０】
本発明に係る一態様の便座の製造方法にあっては、支持部が座部内に挿入される際に、座部の内周端部の外周側の端部が支持部側内周ガイド面にガイドされるか、あるいは、支持部の内突出部の上端部が座部側内周ガイド面にガイドされるため、支持部の内突出部が座部の内周端部に引っ掛かって、支持部の座部内への挿入が阻害されることが抑制される。
【００２１】
本発明に係る他の態様の便座の製造方法にあっては、支持部が座部内に挿入される際に、座部の外周端部の内周側の端部が支持部側外周ガイド面にガイドされるか、あるいは、支持部の外突出部の上端部が座部側外周ガイド面にガイドされるため、支持部の外突出部が座部の外周端部に引っ掛かって、支持部の座部内への挿入が阻害されることが抑制される。
【図面の簡単な説明】
【００２２】
【図１】図１は、本発明の第一実施形態に係る便座の斜め上方より見た分解斜視図である。
【図２】図２は、同上の便座の斜め下方より見た分解斜視図である。
【図３】図３は、同上の便座を周方向に垂直に切断したときの要部正面図である。
【図４】図４Ａは、同上の便座の支持部の平面図である。図４Ｂは、同上の支持部の要部斜視図である。
【図５】図５は、製造過程において、座面支持具により座部が支持された状態の説明図である。
【図６】図６は、製造過程において、座部の内周端部の外周側の端部が支持部側内周ガイド面にガイドされる状態の説明図である。
【図７】図７は、製造過程において、底部が座部および支持部に加圧される直前の状態の説明図である。
【図８】図８は、製造過程において、底部が座部および支持部に加圧された状態の説明図である。
【図９】図９は、製造過程において、振動溶着が行われた後、底部の内突出部および外突出部、支持部の内突出部および外突出部が切除される直前の状態の説明図である。
【図１０】図１０は、本発明の第二実施形態に係る便座を周方向に垂直に切断したときの要部正面図である。
【図１１】図１１は、本発明の第三実施形態に係る便座を周方向に垂直に切断したときの要部正面図である。
【図１２】図１２は、本発明の第四実施形態に係る便座を周方向に垂直に切断したときの要部正面図である。
【発明を実施するための形態】
【００２３】
以下、本発明に係る便座１および便座１の製造方法の第一実施形態について、図１〜図９に基いて説明する。
【００２４】
製造された完成品としての便座１は、図１、図２に示すように平面視環状をしたもので、図３に示すように座部２と、底部３と、座部２と底部３とで囲まれる内部空間１０に設けられる支持部４と、を備える。
【００２５】
なお、以下の説明における上下は、便座１の使用状態における上下として定義する。また、前後は、図１に示すように、便座１の使用状態での使用者の向きにおける前後として定義する。図１は、完成品の便座１を斜め上方より見た、座部２と底部３と支持部４とを溶着跡で分断した分解斜視図である。図２は、完成品の便座１を斜め下方より見た、座部２と底部３と支持部４とを溶着跡で分断した分解斜視図である。
【００２６】
また、環状をした便座１の外周に沿う方向を周方向とするとともに、便座１をなす環の径方向中心側を内周側とし、径方向における中心側と反対側を外周側とする。図３は、便座１を周方向に垂直な断面（前後に垂直な断面）で切断したときの正面図である。
【００２７】
完成品における座部２は、図１、図２に示すように平面視環状をしたもので、図３に示すように、その周方向に垂直な断面において上方に凸となり、上面が座面２１となるものである。座部２は、樹脂により形成されるものである。
【００２８】
第一実施形態では、座部２は、外方に露出する面が全体的に上方に凸となるとともに、この面と反対側の面が全体的に上方に凹となる形状をしており、この凹となる内部に空所が形成され、この空所が内部空間１０を構成する。座部２の内周端部２２および外周端部２３は、下方に向けて伸びている。座面２１の内外方向中央部は、内周側から外周側にかけて上り勾配となる直線状の傾斜を有している。座部２は、ＰＰ（ポリプロピレン）により形成されている。
【００２９】
完成品における底部３は、図１、図２に示すように平面視環状をしたものである。この底部３は、図３に示すように、内周端部３１の上面に、座部２の内周端部２２の下端面が溶着跡１１を介して一体に連続するとともに、外周端部３２の上面に、座部２の外周端部２３の下端面が溶着跡１２を介して一体に連続するものである。底部３は、樹脂により形成されるものである。
【００３０】
第一実施形態では、底部３は、外方に露出する面が全体的に下方に凸となるとともに、この面と反対側の面が全体的に上方に凹となる形状をしており、この凹となる内部に空所が形成され、この空所が内部空間１０を構成する。すなわち、座部２内の空所と底部３内の空所により便座１の内部空間１０が構成される。また、底部３の一部に上方に凸となる部分があるが、構わない。底部３の内周端部３１は、上方に向けて伸びており、この上端面に、座部２の内周端部２２の下端面が溶着跡１１を介して一体に連続している。また、底部３の外周端部３２は、上方に向けて伸びており、この上端面に、座部２の外周端部２３の下端面が溶着跡１２を介して一体に連続している。底部３は、座部２と同じＰＰ（ポリプロピレン）により形成されている。
【００３１】
完成品における支持部４は、図１、図２に示すように平面視環状をしたもので、図３に示すように、その周方向に垂直な断面において上方に凸となるもので、座部２内の空所に収納される。支持部４の座部２側を向く面は、座部２の内周端部２２と外周端部２３との間の裏面２４から所定の間隔１３０をあけて位置する支持面４１となる。支持部４は、樹脂により形成されるものである。
【００３２】
第一実施形態では、支持部４は、支持面４１が全体的に上方に凸となるとともに、支持面４１と反対側の面が全体的に上方に凹となる形状をしている。支持部４の内周端部４２および外周端部４３は、下方に向けて伸びている。
【００３３】
支持部４の支持面４１の内外方向中央部は、内周側から外周側にかけて上り勾配となる直線状の傾斜を有している。この上り勾配は、座部２の裏面２４の内外方向中央部の上り勾配と同じに形成されている。また、前記上り勾配以外の部分の支持面４１と裏面２４との間に所定の間隔１３０があいており、支持面４１と座部２の裏面２４との間は全体にわたって所定の間隔１３０（特に一定の間隔）を有する座部下空間１３が形成されている。これにより、座部２に使用者の体重がかかったときに、座部２がたわむことができる。また、座部２が大きくたわんだときには、支持面４１に受けられる。支持部４は、座部２および底部３と同じＰＰ（ポリプロピレン）により形成されている。
【００３４】
支持部４は、内周端部４２の下端面が、座部２の内周端部２２の下端面の外周側に隣接して、底部３の内周端部３１の上面に溶着跡１４を介して一体に連続するものである。また支持部４は、外周端部４３の下端面が、座部２の外周端部２３の下端面の内周側に隣接して、底部３の外周端部３２の上面に溶着跡１５を介して一体に連続するものである。溶着跡は、樹脂が振動溶着により一旦溶融した後、冷却されて固化したものである。溶着跡は、溶融していない部分と一体となって連続しており、溶着跡と溶融していない部分との区別がつかなくてもよい。
【００３５】
支持部４は、支持面４１と座部２の裏面２４との間に所定の間隔１３０をあけるスペーサとして、内突出部４４と、外突出部４５と、を有するものである。内突出部４４は、支持部４の内周端部４２から内周側に一体に設けられて支持面４１よりも内周側に突出するものである。外突出部４５は、支持部４の外周端部４３から外周側に一体に設けられて支持面４１よりも外周側に突出するものである。
【００３６】
内突出部４４および外突出部４５は、支持部４の周方向の全長にわたって設けられる。内突出部４４の下端面は、内周端部４２の下端面と一体となって連続しており、内周端部４２の下端面とともに底部３の内周端部３１の上面に溶着跡１４を介して一体に連続している。外突出部４５の下端面も、外周端部４３の下端面と一体となって連続しており、外周端部４３の下端面とともに底部３の外周端部３２の上面に溶着跡１５を介して一体に連続している。以下、支持部４の内周端部４２の下端面という場合には、内突出部４４の下端面も含むものとし、支持部４の外周端部４３の下端面という場合には、外突出部４５の下端面も含むものとする。
【００３７】
便座１は、図３、図４Ａ、図４Ｂに示すように、支持部側内周ガイド面４６を有するものである。支持部側内周ガイド面４６は、支持部４の内突出部４４より上側の部分に、内突出部４４の突出端面の上端部から支持面４１にかけて外周側に行く程上側に位置するように傾斜する。第一実施形態では、図４Ａ、図４Ｂに示すように、支持部側内周ガイド面４６は、支持部４の周方向の複数個所（第一実施形態では３４か所）に部分的に設けられる複数個のリブ４６０の表面で構成されている。第一実施形態では、支持部４の変形を容易とするスリット４８が設けられている。
【００３８】
この支持部側内周ガイド面４６は、製造過程において効果を得るものであり、便座１の製造方法について説明する。
【００３９】
便座１の製造には、振動溶着を行う治具として、座面支持具５１と振動治具５２が用いられる（図７参照）。座面支持具５１は、座部２の座面２１を支持して、座部２に、振動溶着の加圧に対する耐変形性を付与するものである。座面支持具５１は座面２１に沿う形状をした凹所を有し、この凹所に座部２が挿入されて、振動溶着の加圧に対する耐変形性が付与される。第一実施形態では、座部２、底部３および支持部４は、上下が使用状態と反転した状態で、振動溶着が行われる。振動治具５２は、底部３の外面に沿う形状をした凹所を有し、この凹所に底部３が挿入されて、底部３が振動治具５２に固定される。
【００４０】
図５に示すように、座部２は、振動溶着が行われる前においては、内周端部２２から内周側に突出する内突出部２７と、外周端部２３から外周側に突出する外突出部２８と、を有している。座部２は、座面支持具５１の凹所に挿入されて、座面２１と、内突出部２７および外突出部２８の下面とが座面支持具５１に支持される。第一実施形態では、座部２には、裏面２４にヒータ１６が設けられている。この場合には、座部下空間１３がヒータ１６配置空間として機能する。
【００４１】
座部２は、内周端部２２の下端面（ただし図５においては上下が逆となり、図６〜図１２についても同じ）が、底部３の内周端部３１の上面に溶着される座部内周溶着箇所２２１となり、外周端部２３の下端面が、底部３の外周端部３２の上面に溶着される座部外周溶着箇所２３１となるものである。また、内突出部２７の下面も座部内周溶着箇所２２１となり、外突出部２８の下面も座部外周溶着箇所２３１となる。
【００４２】
座部２の空所内に、支持部４が挿入される。
【００４３】
支持部４は、内周端部４２の下端面が、底部３の内周端部３１の上面に溶着される支持部内周溶着箇所４２１となり、外周端部４３の下端面が、底部３の外周端部３２の上面に溶着される支持部外周溶着箇所４３１となるものである。
【００４４】
支持部４は、図６に示すように、座部２の内周端部２２の外周側の端部を支持部側内周ガイド面４６に沿わせながら、座部２内に挿入される。このように、支持部４に支持部側内周ガイド面４６が設けられていることにより、支持部４が座部２内に挿入される際に、支持部４の内突出部４４が座部２の内周端部２２に引っ掛かって、支持部４の座部２内への挿入が阻害されることが抑制される。
【００４５】
特に、第一実施形態では、座部２に内突出部２７が設けられており、支持部４が座部２内に挿入される際に支持部４の内突出部４４が座部２の内突出部２７に引っ掛かると、座部２の内突出部２７の基端部に多大な曲げ応力が発生し、座部２が破損するおそれがある。この点、支持部側内周ガイド面４６により、支持部４の内突出部４４が座部２の内突出部２７に引っ掛かることなく、スムーズに支持部４の座部２内へ挿入されると、座部２が破損するおそれがほとんどない。
【００４６】
次に、図７に示すように、振動治具５２に支持された底部３が、座部２の座部内周溶着箇所２２１および座部外周溶着箇所２３１、支持部４の支持部内周溶着箇所４２１および支持部外周溶着箇所４３１に対向する。
【００４７】
底部３は、内周端部３１の上面に、座部内周溶着箇所２２１および支持部内周溶着箇所４２１が溶着される底部内周溶着箇所３１１を有する。また底部３は、外周端部３２の上面に、座部外周溶着箇所２３１および支持部外周溶着箇所４３１が溶着される底部外周溶着箇所３２１を有する。また底部３は、振動溶着が行われる前においては、内周端部３１から内周側に突出する内突出部３３と、外周端部３２から外周側に突出する外突出部３４と、を有している。内突出部３３の上面も底部内周溶着箇所３１１となり、外突出部３４の上面も底部外周溶着箇所３２１となる。内突出部３３が設けられることにより、振動溶着の際に、支持部内周溶着箇所４２１および座部内周溶着箇所２２１が底部内周溶着箇所３１１から脱落しにくい。また、外突出部３４が設けられることにより、支持部外周溶着箇所４３１および座部外周溶着箇所２３１が底部外周溶着箇所３２１から脱落しにくい。
【００４８】
また、内突出部２７が設けられることにより、振動溶着の際に、座部内周溶着箇所２２１が底部内周溶着箇所３１１から脱落しにくい。また、外突出部２８が設けられることにより、座部外周溶着箇所２３１が底部外周溶着箇所３２１から脱落しにくい。
【００４９】
そして、図８に示すように、支持部内周溶着箇所４２１および座部内周溶着箇所２２１が、底部内周溶着箇所３１１により加圧されるとともに、支持部外周溶着箇所４３１および座部外周溶着箇所２３１が底部外周溶着箇所３２１により加圧される。ここで、第一実施形態では、図５に示すように、座部内周溶着箇所２２１となる座部２の内周端部２２の下端面が、内周側ほど低くなるように傾斜しており、座部外周溶着箇所２３１となる座部２の外周端部２３の下端面が、外周側ほど低くなるように傾斜している。さらに、支持部内周溶着箇所４２１となる支持部４の内周端部４２の下端面が、内周側ほど高くなるように傾斜しており、支持部外周溶着箇所４３１となる支持部４の外周端部４３の下端面が、外周側ほど高くなるように傾斜している。
【００５０】
このため、支持部内周溶着箇所４２１および座部内周溶着箇所２２１が、底部３により加圧されると、支持部４の内周端部４２の側面と座部２の内周端部２２の側面とが接触して密着する（圧接される）。また、支持部外周溶着箇所４３１および座部外周溶着箇所２３１が、底部３により加圧されると、支持部４の外周端部４３の側面と座部２の外周端部２３の側面とが接触して密着する（圧接される）。これにより、支持部内周溶着箇所４２１が座部内周溶着箇所２２１の外周側に隣接し、支持部外周溶着箇所４３１が座部外周溶着箇所２３１の内周側に隣接する。
【００５１】
この状態で、底部３が座部２および支持部４に対して振動して、振動溶着が行われる。振動溶着が行われることにより、支持部内周溶着箇所４２１および座部内周溶着箇所２２１が底部内周溶着箇所３１１に固定されるとともに、支持部外周溶着箇所４３１および座部外周溶着箇所２３１が底部外周溶着箇所３２１に固定される。そして、図９に示すように、座部２、底部３および支持部４が一体となった成形体が形成される。
【００５２】
第一実施形態では、図９の破線に示す部分において切断され、座部２の外突出部２８および内突出部２７、底部３の外突出部３４および内突出部３３が除去されて、便座１の完成品が形成される。
【００５３】
なお、第一実施形態の変形例として、支持部側内周ガイド面４６が、支持部４の周方向の複数個所に部分的に設けられる複数個のリブ４６０の表面で構成されるのではなく、支持部４の全周に設けられるものであってもよい。
【００５４】
次に、第二実施形態の便座１について、図１０に基いて説明する。なお、第二実施形態の便座１は、大部分において第一実施形態の便座１と同じであるため、同じ構成については同符号を用いて説明を省略し、主に異なる構成について説明する。
【００５５】
第一実施形態の便座１は、支持部側内周ガイド面４６を有するものであったが、第二実施形態の便座１は、支持部側内周ガイド面４６にかえて、座部側内周ガイド面２５を有するものである。
【００５６】
座部側内周ガイド面２５は、座部２の内周端部２２の外周側の端部に、座部２の内周端部２２の下端面の外周側の端部から裏面２４の内周側の端部にかけて外周側に行く程上側に位置するように傾斜する。座部側内周ガイド面２５は、座部２の全周に設けられる。
【００５７】
第二実施形態の便座１にあっても、支持部４が座部２内に挿入される際に、内突出部４４の上端部を座部側内周ガイド面２５に沿わせながら、座部２内に挿入される。このように、座部２に座部側内周ガイド面２５が設けられていることにより、支持部４が座部２内に挿入される際に、支持部４の内突出部４４が座部２の内周端部２２に引っ掛かって、支持部４の座部２内への挿入が阻害されることが抑制される。
【００５８】
次に、第三実施形態の便座１について、図１１に基いて説明する。なお、第三実施形態の便座１は、大部分において第一実施形態の便座１と同じであるため、同じ構成については同符号を用いて説明を省略し、主に異なる構成について説明する。
【００５９】
第一実施形態の便座１は、支持部側内周ガイド面４６を有するものであったが、第三実施形態の便座１は、支持部側内周ガイド面４６にかえて、支持部側外周ガイド面４７を有するものである。
【００６０】
支持部側外周ガイド面４７は、支持部４の外突出部４５より上側の部分に、外突出部４５の突出端面の上端部から支持面４１にかけて内周側に行く程上側に位置するように傾斜する。第一実施形態では、図４Ａ、図４Ｂに示すように、支持部側外周ガイド面４７は、支持部４の周方向の複数個所に部分的に設けられる複数個のリブ４７０の表面で構成される。
【００６１】
第三実施形態の便座１にあっても、支持部４が座部２内に挿入される際に、座部２の外周端部２３の外周側の端部を支持部側外周ガイド面４７に沿わせながら、座部２内に挿入される。このように、支持部４に支持部側外周ガイド面４７が設けられていることにより、支持部４が座部２内に挿入される際に、支持部４の外突出部４５が座部２の外周端部２３に引っ掛かって、支持部４の座部２内への挿入が阻害されることが抑制される。
【００６２】
なお、第三実施形態の変形例として、支持部側外周ガイド面４７が、支持部４の周方向の複数個所に部分的に設けられる複数個のリブ４７０の表面で構成されるのではなく、支持部４の全周に設けられるものであってもよい。
【００６３】
次に、第四実施形態の便座１について、図１２に基いて説明する。なお、第四実施形態の便座１は、大部分において第一実施形態の便座１と同じであるため、同じ構成については同符号を用いて説明を省略し、主に異なる構成について説明する。
【００６４】
第一実施形態の便座１は、支持部側内周ガイド面４６を有するものであったが、第四実施形態の便座１は、支持部側内周ガイド面４６にかえて、座部側外周ガイド面２６を有するものである。
【００６５】
座部側外周ガイド面２６は、座部２の外周端部２３の内周側の端部に、座部２の外周端部２３の下端面の内周側の端部から裏面２４の外周側の端部にかけて内周側に行く程上側に位置するように傾斜する。
【００６６】
第四実施形態の便座１にあっても、支持部４が座部２内に挿入される際に、支持部４の外突出部４５の上端部を座部側外周ガイド面２６に沿わせながら、座部２内に挿入される。このように、座部２に座部側外周ガイド面２６が設けられていることにより、支持部４が座部２内に挿入される際に、支持部４の外突出部４５が座部２の外周端部２３に引っ掛かって、支持部４の座部２内への挿入が阻害されることが抑制される。
【００６７】
次に、第一実施形態〜第四実施形態における、座部２、底部３、支持部４の変形例について説明する。
【００６８】
座面２１の内外方向中央部は勾配を有する直線状となっているが、座面２１の形状はこのような形状に限定されない。また、座部２の一部に下方に凸となる部分があってもよく、座部２が全体的に上方に凸となっていればよい。座部２を形成する樹脂の種類は、特に限定されない。
【００６９】
底部３は全体的に下方に凸となっているが、底部３の形状は特に限定されず、たとえば底部３が平坦な形状をして、内周端部３１および外周端部３２が側方に向けて伸びてもよい。この場合には、底部３内に空所が形成されず、座部２内の空所のみにより便座１の内部空間１０が構成される。底部３を形成する樹脂の種類は、特に限定されない。また、底部３を形成する樹脂の種類は、座部２を形成する樹脂の種類と同じであってもよいし、異なってもよい。
【００７０】
支持部４の支持面４１の内外方向中央部は勾配を有する直線状となっているが、支持面４１の形状はこのような形状に限定されない。また、支持部４の一部に下方に凸となる部分があってもよく、支持部４が全体的に上方に凸となっていればよい。支持部４を形成する樹脂の種類は、特に限定されない。また、支持部４を形成する樹脂の種類は、座部２を形成する樹脂の種類と同じであってもよいし異なってもよく、底部３を形成する樹脂の種類と同じであってもよいし、異なってもよい。
【００７１】
また、座部２、底部３および支持部４は、第一実施形態〜第四実施形態においては、平面視環状をしたものであるが、Ｕ字状、Ｃ字状であってもよく、平面視形状は限定されない。
【００７２】
また、第一実施形態〜第四実施形態においては、座部２の内周端部２２の下端面および外周端部２３の下端面、支持部４の内周端部４２の下端面および外周端部４３の下端面は傾斜しているが、これらの面は傾斜しなくてもよい。
【００７３】
座部下空間１３は、全体にわたって支持部４の支持面４１と座部２の裏面２４との間に一定の間隔があいているが、間隔は一定でなくてもよい。
【００７４】
また、支持部４の変形を容易とするスリット４８は設けられなくても構わない。
【００７５】
また、ヒータ１６は、座部２の周方向の全長にわたって設けられてもよいし、周方向の一部に設けられてもよい。また、座部２に、ヒータ１６と支持面４１との接触を和らげる緩衝材が設けられてもよい。また、座部２にヒータ１６が設けられなくてもよい。
【００７６】
以上、述べた第一実施形態〜第四実施形態およびその変形例から明らかなように、本発明に係る第１の態様の便座１は、座部２と、底部３と、座部２と底部３とで囲まれる内部空間１０に設けられる支持部４と、を備える。座部２は、平面視環状またはＵ字状をして、その周方向に垂直な断面において上方に凸となり、上面が座面２１となるものである。底部３は、平面視環状またはＵ字状をして、内周端部３１の上面に座部２の内周端部２２の下端面が溶着跡１１を介して一体に連続し、外周端部３２の上面に座部２の外周端部２３の下端面が溶着跡１２を介して一体に連続するものである。支持部４は、平面視環状またはＵ字状をして、その周方向に垂直な断面において上方に凸となり、座部２側を向く面が座部２の内周端部２２と外周端部２３との間の裏面２４から所定の間隔１３０をあけて位置する支持面４１となる。支持部４は、内周端部４２の下端面が座部２の内周端部２２の下端面の外周側に隣接して底部３の内周端部３１の上面に溶着跡１４を介して一体に連続する。支持部４は、外周端部４３の下端面が座部２の外周端部２３の下端面の内周側に隣接して底部３の外周端部３２の上面に溶着跡１５を介して一体に連続するものである。支持部４は、支持面４１と裏面２４との間に所定の間隔１３０をあけるスペーサとして、内突出部４４と、外突出部４５と、を有する。内突出部４４は、支持部４の内周端部４２から内周側に一体に設けられて支持面４１よりも内周側に突出する。外突出部４５は、支持部４の外周端部４３から外周側に一体に設けられて支持面４１よりも外周側に突出する。便座１は、支持部側内周ガイド面４６を有するか、あるいは、座部側内周ガイド面２５を有する。支持部側内周ガイド面４６は、支持部４の内突出部４４より上側の部分に、内突出部４４の突出端面の上端部から支持面４１にかけて外周側に行く程上側に位置するように傾斜する。座部側内周ガイド面２５は、座部２の内周端部２２の外周側の端部に、座部２の内周端部２２の下端面の外周側の端部から裏面２４の内周側の端部にかけて外周側に行く程上側に位置するように傾斜する。
【００７７】
第１の態様の便座１によれば、支持部４が座部２内に挿入される際に、座部２の内周端部２２の外周側の端部が支持部側内周ガイド面４６にガイドされるか、あるいは、内突出部４４の上端部が座部側内周ガイド面２５にガイドされるため、支持部４の内突出部４４が座部２の内周端部２２に引っ掛かって、支持部４の座部２内への挿入が阻害されることが抑制される。
【００７８】
また、本発明に係る第２の態様の便座１は、座部２と、底部３と、座部２と底部３とで囲まれる内部空間１０に設けられる支持部４と、を備える。座部２は、平面視環状またはＵ字状をして、その周方向に垂直な断面において上方に凸となり、上面が座面２１となるものである。底部３は、平面視環状またはＵ字状をして、内周端部３１の上面に座部２の内周端部２２の下端面が溶着跡１１を介して一体に連続し、外周端部３２の上面に座部２の外周端部２３の下端面が溶着跡１２を介して一体に連続するものである。支持部４は、平面視環状またはＵ字状をして、その周方向に垂直な断面において上方に凸となり、座部２側を向く面が座部２の内周端部２２と外周端部２３との間の裏面２４から所定の間隔１３０をあけて位置する支持面４１となる。支持部４は、内周端部４２の下端面が座部２の内周端部２２の下端面の外周側に隣接して底部３の内周端部３１の上面に溶着跡１４を介して一体に連続する。支持部４は、外周端部４３の下端面が座部２の外周端部２３の下端面の内周側に隣接して底部３の外周端部３２の上面に溶着跡１５を介して一体に連続するものである。支持部４は、支持面４１と裏面２４との間に所定の間隔１３０をあけるスペーサとして、内突出部４４と、外突出部４５と、を有する。内突出部４４は、支持部４の内周端部４２から内周側に一体に設けられて支持面４１よりも内周側に突出する。外突出部４５は、支持部４の外周端部４３から外周側に一体に設けられて支持面４１よりも外周側に突出する。便座１は、支持部側外周ガイド面４７を有するか、あるいは、座部側外周ガイド面２６を有する。支持部側外周ガイド面４７は、支持部４の外突出部４５より上側の部分に、外突出部４５の突出端面の上端部から支持面４１にかけて内周側に行く程上側に位置するように傾斜する。座部側外周ガイド面２６は、座部２の外周端部２３の内周側の端部に、座部２の外周端部２３の下端面の内周側の端部から裏面２４の外周側の端部にかけて内周側に行く程上側に位置するように傾斜する。
【００７９】
第２の態様の便座１によれば、支持部４が座部２内に挿入される際に、座部２の外周端部２３の内周側の端部が支持部側外周ガイド面４７にガイドされるか、あるいは、支持部４の外突出部４５の上端部が座部側外周ガイド面２６にガイドされるため、支持部４の外突出部４５が座部２の外周端部２３に引っ掛かって、支持部４の座部２内への挿入が阻害されることが抑制される。
【００８０】
本発明に係る第３の態様の便座１は付加的なものであり、第１の態様の便座１との組み合わせにより実現される。第３の態様の便座１は、支持部側内周ガイド面４６を有するものであり、支持部側内周ガイド面４６が、支持部４の周方向の複数個所に部分的に設けられる複数個のリブ４６０の表面で構成される。
【００８１】
第３の態様の便座１によれば、支持部４の内周端部４２の全周に支持部側内周ガイド面４６を設ける必要がない。
【００８２】
本発明に係る第４の態様の便座１は付加的なものであり、第２の態様の便座１との組み合わせにより実現される。第４の態様の便座１は、支持部側外周ガイド面４７を有するものであり、支持部側外周ガイド面４７が、支持部４の周方向の複数個所に部分的に設けられる複数個のリブ４７０の表面で構成される。
【００８３】
第４の態様の便座１によれば、支持部４の外周端部４３の全周に支持部側外周ガイド面４７を設ける必要がない。
【００８４】
また、本発明に係る第１の態様の便座１の製造方法にあっては、便座１は、座部２と、底部３と、座部２と底部３とで囲まれる内部空間１０に設けられる支持部４と、を備えたものである。座部２は、平面視環状またはＵ字状をして、その周方向に垂直な断面において上方に凸となり、上面が座面２１となる。座部２は、内周端部２２の下端面が底部３に溶着される座部内周溶着箇所２２１となり、外周端部２３の下端面が底部３に溶着される座部外周溶着箇所２３１となるものである。底部３は、平面視環状またはＵ字状をして、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。支持部４は、平面視環状またはＵ字状をして、その周方向に垂直な断面において上方に凸となり、座部２側を向く面が座部２の内周端部２２と外周端部４３との間の裏面２４から所定の間隔１３０をあけて位置する支持面４１となる。支持部４は、内周端部４２の下端面が底部内周溶着箇所３１１に溶着される支持部内周溶着箇所４２１となり、外周端部４３の下端面が底部外周溶着箇所３２１に溶着される支持部外周溶着箇所４３１となるものである。支持部４は、支持面４１と裏面２４との間に所定の間隔１３０をあけるスペーサとして、内突出部４４と、外突出部４５と、を有する。内突出部４４は、支持部４の内周端部４２から内周側に一体に設けられて支持面４１よりも内周側に突出する。外突出部４５は、支持部４の外周端部４３から外周側に一体に設けられて支持面４１よりも外周側に突出する。便座１は、支持部側内周ガイド面４６を有するか、あるいは、座部側内周ガイド面２５を有する。支持部側内周ガイド面４６は、支持部４の内突出部４４より上側の部分に、内突出部４４の突出端面の上端部から支持面４１にかけて外周側に行く程上側に位置するように傾斜する。座部側内周ガイド面２５は、座部２の内周端部２２の外周側の端部に、座部２の内周端部２２の下端面の外周側の端部から裏面２４の内周側の端部にかけて外周側に行く程上側に位置するように傾斜するものである。座部２は、振動溶着の加圧に対する耐変形性を付与する座面支持具５１により座面２１が支持される。支持部４は、支持面４１が裏面２４と対向し、支持部内周溶着箇所４２１が座部内周溶着箇所２２１の外周側に隣接し、支持部外周溶着箇所４３１が座部外周溶着箇所２３１の内周側に隣接するように、座部２の内周端部２２の外周側の端部を支持部側内周ガイド面４６に沿わせながら、あるいは、内突出部４４の上端部を座部側内周ガイド面２５に沿わせながら、座部２内に挿入される。支持部内周溶着箇所４２１および座部内周溶着箇所２２１が底部内周溶着箇所３１１により加圧されるとともに支持部４の内周端部４２と座部２の内周端部２２とが接触し、支持部外周溶着箇所４３１および座部外周溶着箇所２３１が底部外周溶着箇所３２１により加圧されるとともに支持部４の外周端部４３と座部２の外周端部２３とが接触した状態で振動溶着が行われる。このように振動溶着が行われることにより、支持部内周溶着箇所４２１および座部内周溶着箇所２２１が底部内周溶着箇所３１１に固定されるとともに、支持部外周溶着箇所４３１および座部外周溶着箇所２３１が底部外周溶着箇所３２１に固定される。
【００８５】
第１の態様の便座１の製造方法によれば、支持部４が座部２内に挿入される際に、座部２の内周端部２２の外周側の端部が支持部側内周ガイド面４６にガイドされるか、あるいは、支持部４の内突出部４４の上端部が座部側内周ガイド面２５にガイドされるため、支持部４の内突出部４４が座部２の内周端部２２に引っ掛かって、支持部４の座部２内への挿入が阻害されることが抑制される。
【００８６】
また、本発明に係る第２の態様の便座１の製造方法にあっては、便座１は、座部２と、底部３と、座部２と底部３とで囲まれる内部空間１０に設けられる支持部４と、を備えたものである。座部２は、平面視環状またはＵ字状をして、その周方向に垂直な断面において上方に凸となり、上面が座面２１となる。座部２は、内周端部２２の下端面が底部３に溶着される座部内周溶着箇所２２１となり、外周端部２３の下端面が底部３に溶着される座部外周溶着箇所２３１となるものである。底部３は、平面視環状またはＵ字状をして、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。支持部４は、平面視環状またはＵ字状をして、その周方向に垂直な断面において上方に凸となり、座部２側を向く面が座部２の内周端部２２と外周端部２３との間の裏面２４から所定の間隔１３０をあけて位置する支持面４１となる。支持部４は、内周端部４２の下端面が底部内周溶着箇所３１１に溶着される支持部内周溶着箇所４２１となり、外周端部４３の下端面が底部外周溶着箇所３２１に溶着される支持部外周溶着箇所４３１となるものである。支持部４は、支持面４１と裏面２４との間に所定の間隔１３０をあけるスペーサとして、内突出部４４と、外突出部４５と、を有する。内突出部４４は、支持部４の内周端部４２から内周側に一体に設けられて支持面４１よりも内周側に突出する。外突出部４５は、支持部４の外周端部４３から外周側に一体に設けられて支持面４１よりも外周側に突出する。便座１は、支持部側外周ガイド面４７を有するか、あるいは、座部側外周ガイド面２６を有するものである。支持部側外周ガイド面４７は、支持部４の外突出部４５より上側の部分に、外突出部４５の突出端面の上端部から支持面４１にかけて内周側に行く程上側に位置するように傾斜する。座部側外周ガイド面２６は、座部２の外周端部２３の内周側の端部に、座部２の外周端部２３の下端面の内周側の端部から裏面２４の外周側の端部にかけて内周側に行く程上側に位置するように傾斜する。座部２は、振動溶着の加圧に対する耐変形性を付与する座面支持具５１により座面２１が支持される。支持部４は、支持面４１が裏面２４と対向し、支持部外周溶着箇所４３１が座部内周溶着箇所２２１の外周側に隣接し、支持部外周溶着箇所４３１が座部外周溶着箇所２３１の内周側に隣接するように、座部２の外周端部２３の内周側の端部を支持部側外周ガイド面４７に沿わせながら、あるいは、外突出部４５の上端部を座部側外周ガイド面２６に沿わせながら、座部２内に挿入される。支持部内周溶着箇所４２１および座部内周溶着箇所２２１が底部内周溶着箇所３１１により加圧されるとともに支持部４の内周端部４２と座部２の内周端部２２とが接触し、支持部外周溶着箇所４３１および座部外周溶着箇所２３１が底部外周溶着箇所３２１により加圧されるとともに支持部４の外周端部４３と座部２の外周端部２３とが接触した状態で振動溶着が行われる。このように振動溶着が行われることにより、支持部内周溶着箇所４２１および座部内周溶着箇所２２１が底部内周溶着箇所３１１に固定されるとともに、支持部外周溶着箇所４３１および座部外周溶着箇所２３１が底部外周溶着箇所３２１に固定される。
【００８７】
第２の態様の便座１の製造方法によれば、支持部４が座部２内に挿入される際に、座部２の外周端部２３の内周側の端部が支持部側外周ガイド面４７にガイドされるか、あるいは、支持部４の外突出部４５の上端部が座部側外周ガイド面２６にガイドされるため、支持部４の外突出部４５が座部２の外周端部２３に引っ掛かって、支持部４の座部２内への挿入が阻害されることが抑制される。
【００８８】
本発明に係る第３の態様の便座１の製造方法は付加的なものであり、第１の態様の便座１の製造方法または第２の態様の便座１の製造方法との組み合わせにより実現される。第３の態様の便座１の製造方法は、底部３は、振動溶着が行われる前においては、内周端部３１から内周側に突出する内突出部３３と、外周端部３２から外周側に突出する外突出部３４と、を有するものである。支持部４は、振動溶着が行われる前においては、内周端部４２から内周側に突出する内突出部４４と、外周端部４３から外周側に突出する外突出部４５と、を有するものである。振動溶着が行われた後、底部３の内突出部３３および外突出部３４、支持部４の内突出部４４および外突出部４５が切除される。
【００８９】
第３の態様の便座１の製造方法によれば、支持部４が座部２内に挿入される際に支持部４の内突出部４４が座部２の内周端部２２に引っ掛かると、座部２の内突出部２７の基端部に多大な曲げ応力が発生し、座部２が破損するおそれがあるところ、スムーズに支持部４の座部２内へ挿入されることとなり、座部２が破損するおそれがほとんどない。
【符号の説明】
【００９０】
１      便座    
１０    内部空間    
１１    溶着跡    
１２    溶着跡    
１３０  所定の間隔    
１４    溶着跡    
１５    溶着跡    
２      座部    
２１    座面    
２２    内周端部    
２２１  座部内周溶着箇所
２３    外周端部    
２３１  座部外周溶着箇所
２４    裏面    
２５    座部側内周ガイド面
２６    座部側外周ガイド面
２７    内突出部
２８    外突出部
３      底部    
３１    内周端部    
３１１  底部内周溶着箇所
３２    外周端部    
３２１  底部外周溶着箇所
３３    内突出部
３４    外突出部
４      支持部    
４１    支持面    
４２    内周端部    
４２１  支持部内周溶着箇所
４３    外周端部    
４３１  支持部外周溶着箇所
４４    内突出部  
４５    外突出部  
４６    支持部側内周ガイド面
４６０  リブ
４７    支持部側外周ガイド面
４７０  リブ
５１    座面支持具
【図１】
0006748960.tif 000002
【図２】
0006748960.tif 000003
【図３】
0006748960.tif 000004
【図４】
0006748960.tif 000005
【図５】
0006748960.tif 000006
【図６】
0006748960.tif 000007
【図７】
0006748960.tif 000008
【図８】
0006748960.tif 000009
【図９】
0006748960.tif 000010
【図１０】
0006748960.tif 000011
【図１１】
0006748960.tif 000012
【図１２】
0006748960.tif 000013